(57)【特許請求の範囲】
【請求項１】
電気機器収納用箱の開口部の表面にパネルを取付けるためのパネル取付構造であって、
パネルの下端部に、パネル取付部と、パネル取付部からパネルより離れる方向に延びる腕部と、腕部の先端から下方に伸びる接続部と、接続部の下端からパネルより離れる方向に傾斜する案内部とを備えた係止金具を装着し、
係止金具を開口部に挿入して、パネルの下端より上方に形成した腕部を開口部端縁に当接させ、接続部の一部を開口部周縁の裏面に当接させ、またパネルの下端を開口部周縁の表面に当接させることにより、パネルを傾斜姿勢で保持可能としたことを特徴とする電気機器収納用箱のパネル取付構造。
【請求項２】
接続部を、下方がパネルに近接する方向に傾斜させたことを特徴とする請求項１記載の電気機器収納用箱のパネル取付構造。
【請求項３】
開口部端縁に、係止金具が嵌る切欠部を形成したことを特徴とする請求項１または２に記載の電気機器収納用箱のパネル取付構造。
【発明の詳細な説明】
【技術分野】
【０００１】
本発明は、電気機器収納用箱の開口部の表面へのパネル取付構造に関するものである。
【背景技術】
【０００２】
分電盤などの電気機器収納用箱には、筺体の前面に形成された開口部周縁の表面に、パネルを取付けた構造のものがある。このようなパネル取付構造としては、特許文献１に示されるように、パネルを窓枠状の開口部の周縁にねじ止めするものが一般的である。しかし分電盤などは床面から高い位置に設置されていることがあり、その場合には、パネルをねじ止めするためには片手でパネルを支えながら脚立などの上でねじ止め作業を行う必要がある。このため作業姿勢が不安定になり、作業性が悪いうえに危険であるという問題があった。
【０００３】
そこで図１に示されるようにパネル１の下端部にＬ字状の係止金具２を取付け、開口部３の端縁４に落とし込むようにして取付けるようにした構造も提案されている。この構造を採用すれば、パネル１の下端部を開口部３の端縁４に保持させた状態でパネル１の上部のねじ止め作業を行えるので、上記したような問題を回避することができる。しかしこの構造はパネル１を開口部３にほぼ垂直に落とし込む必要があるため、パネル１の上端が天井等に密着するような位置では採用することができないという別の問題があった。
【先行技術文献】
【特許文献】
【０００４】
【特許文献１】特開２００１−７３６１７号公報
【発明の概要】
【発明が解決しようとする課題】
【０００５】
従って本発明の目的は上記した従来の問題点を解決し、窓枠状の開口部の表面へのパネルの取付作業を容易かつ安全に行うことができ、しかもパネルの上端が天井などに密着して落としこみができないような場合にも支障なくパネルを取付けることができる電気機器収納用箱のパネル取付構造を提供することである。
【課題を解決するための手段】
【０００６】
上記の課題を解決するためになされた本発明は、電気機器収納用箱の開口部の表面にパネルを取付けるためのパネル取付構造であって、パネルの下端部に、パネル取付部と、パネル取付部からパネルより離れる方向に延びる腕部と、腕部の先端から下方に伸びる接続部と、接続部の下端からパネルより離れる方向に傾斜する案内部とを備えた係止金具を装着し、係止金具を開口部に挿入してパネルの下端より上方に形成した腕部を開口部端縁に当接させ、接続部の一部を開口部周縁の裏面に当接させ、またパネルの下端を開口部周縁の表面に当接させることにより、パネルを傾斜姿勢で保持可能としたことを特徴とするものである。
【０００７】
なお請求項２のように、接続部を下方がパネルに近接する方向に傾斜させた構造とすることが好ましく、また請求項３のように、開口部端縁に係止金具が嵌る切欠部を形成した構造とすることが好ましい。
【発明の効果】
【０００８】
本発明の電気機器収納用箱のパネル取付構造は、パネルの下端部に、パネル取付部と、パネル取付部からパネルより離れる方向に延びる腕部と、腕部の先端から下方に伸びる接続部と、接続部の下端からパネルより離れる方向に傾斜する案内部とを備えた係止金具を装着し、係止金具を開口部に挿入して、パネルの下端より上方に形成した腕部を開口部端縁に当接させ、接続部の一部を開口部周縁の裏面に当接させ、またパネルの下端を開口部周縁の表面に当接したものであるから、パネルを手前に傾斜させた状態とし、この案内部を利用して窓枠状の開口部に斜め方向から係止金具を挿入することができる。このためパネルの上部に余裕がない場合にもパネルを取付けることができる。また係止金具を利用してパネルを箱本体の開口部の端縁に保持させることができるので、従来のようにパネルを保持しながらねじ止め作業を行う必要がなく、パネルの取り付け作業を容易かつ安全に行うことができる。
【０００９】
また請求項２のように接続部を下方がパネルに近接する方向に傾斜させた構造とすれば、接続部の一部もしくは接続部の下端が腕部の先端よりもパネルに近接する位置となるので、開口部の端縁に保持させたパネルが手前に倒れてきた場合には、必ず接続部の一部もしくは接続部の下端が開口部周縁の裏面に当たる。このためパネルは接続部の一部もしくは接続部の下端とパネルの下端との２箇所において安定に支持され、落下するおそれがない。また、腕部と開口部端縁、接続部の一部もしくは接続部の下端と開口部周縁の裏側、パネルの下端と開口部周縁の表面の３点で傾斜させて保持することができ安定して保持することができるものである。
【００１０】
さらに請求項３のように、開口部端縁に係止金具が嵌る切欠部を形成した構造とすれば、パネルが横方向にずれることが防止され、パネルの落下をより確実に防止できるとともに、パネルの位置決めも容易となる。
【図面の簡単な説明】
【００１１】
【図１】従来例を示す要部断面図である。
【図２】本発明の実施形態を示す斜視図である。
【図３】係止金具の拡大斜視図である。
【図４】パネルを保持させた状態を示す斜視図である。
【図５】係止金具部分の拡大斜視図である。
【図６】パネルの取付状態を示す斜視図である。
【図７】取付手順を示す断面図である。
【図８】パネルの取付状態を示す斜視図である。
【図９】本発明の他の実施形態を示す要部断面図である。
【図１０】各係止金具の支持状態を示す要部断面図の拡大図である。
【発明を実施するための形態】
【００１２】
以下に本発明の好ましい実施形態を示す。
図２は本発明の実施形態を示す斜視図であり、１０はパネルが取付けられる窓枠状の開口部１１を備えた本体、１２は平板状のパネルである。この実施形態の本体１０は図８に示すように電気機器収納用箱１３の上部と天井面との間に取付けられるダクトである。パネル１２は窓枠状の開口部１１の表面を覆うものであり、開口部１１よりも上下左右に大きいサイズのものである。このダクトは天井から電気機器収納用箱１３に引き込まれる配線を覆うとともに、電気機器収納用箱１３の転倒を防止する役割を持つ。しかし本発明はこのようなダクト以外にも適用することができ、例えば電気機器収納用箱１３自体のパネルや側板の取付等にも適用可能であることはいうまでもない。
【００１３】
パネル１２の下部の好ましくは左右両側位置には、係止金具１４が溶接やねじ止め等の適宜の固定手段により取り付けられている。図３に示すように、この係止金具１４は、パネル１２の裏面に密着されるパネル取付部１５と、パネル取付部１５の下端からパネル１２より離れる方向にほぼ水平に延びる腕部１６と、この腕部１６の先端から下方に伸びる接続部１７と、この接続部１７の下端からパネル１２より離れる方向に傾斜する案内部１８とを備えたものである。なお、腕部１６がパネル取付部１５の上端から形成するような、係止金具がコ字状になるような形状でも良いことは勿論である。この係止金具１４は本体１０の開口部１１周縁の裏側に挿入されるものであるから、腕部１６の先端よりも下側に伸びる部分とパネル取付部１５との間の距離は、開口部１１の板厚よりもやや大きくしておく必要がある。また係止金具１４は、パネルの下端２２よりもやや上方位置に取付けておくものとする。
【００１４】
腕部１６の先端から下方に伸びる接続部１７は、図９に示すようにパネル１２と平行になるように形成してもよいが、パネル１２を挿入し開口部１１と平行にしたとき、ねじを締め忘れてパネル１２が手前に倒れてきた場合には勢いでパネルが落下するおそれがあるが、この実施形態のように、接続部１７をその下方がパネル１２に近接する方向に傾斜させた構造とすると、パネル１２が手前に倒れてきた場合にも、接続部１７の下端とパネル１２の距離は幅狭に形成しているため、最初に接続部１７の下端が本体１０の開口部１１周縁の裏面に当接し、より確実に保持させることができるので好ましい。また、従来例の図１のような係止金具２においては、係止金具２の垂下片２aと開口部３との距離が狭いため傾斜させた状態で保持することが出来ず、また、パネル１をほぼ垂直の方向から落とし込む必要があるという問題点がある。図１０は（ａ）は図９の係止金具１４の保持の状態を（ｂ）は図７の中央部に示す係止金具１４の保持の状態の拡大図を示したものであるが、（ａ）のような係止金具１４においては、案内部１８を形成しているため、パネル１２を傾斜させた状態で容易に挿入することができ、接続部１７とパネル１２との距離を長く設けているため、腕部１６と本体１０の開口部端縁１０aの接触部Ａ点とパネルの下端２２と本体１０の開口部１１周縁の表面の接触部Ｂ点の２点で傾斜させて保持することができる。しかし、傾斜させた状態でパネル１２に力が加わった場合には、Ｂ点で支持されるが、パネル１２はＡ点が接続部１７上を滑ってしまい、最終的にパネル１２が落下するおそれがあるという問題点がある。図１及び図１０（ａ）の構造の問題点を解決するために、図１０（ｂ）に示す実施形態の係止金具１４のように接続部１７を下方がパネル１２に近接する方向に傾斜させた構造として接続部１７の上端は幅広に形成し、接続部１７の下端は幅狭に形成することにより、腕部１６と本体１０の開口部端縁１０aの接触部Ｃ点、接続部１７の下端と本体１０の開口部１１周縁の裏側の接触部Ｄ点、パネルの下端２２と本体１０の開口部１１周縁の表面の接触部Ｅ点の３点で傾斜させて保持することができる。この場合においてはＣ点が接触部１７を滑っていくことはないのでパネル１２が落下するおそれがなくなるものである。なお、図１０（ａ）の構造においても、図１０（ｃ）に示すようにパネル１２と平行に形成した接続部１７のパネル１２側の面の下端に突起２３を形成し、突起２３が本体１０の開口部１１周縁の裏側と当接することにより図７の中央部の係止金具と同様の効果を得られるものである。このような構造においては、突起２３は腕部１６の先端よりパネル側に形成するので図１０（ｂ）と同じように腕部１６と本体１０の開口部端縁１０ａの接触部Ｃ点、突起２３と本体１０の開口部１１周縁の裏側Ｄ点、パネルの下端２２と本体１０の開口部１１周縁の表面の接触部Ｅ点の３点でパネルを傾斜させて保持することができる。ただし、突起２３の位置は図１０（ｃ）の下端に限定されず、接続部１７のパネル側の面に形成すればどこに配置しても良いものである。
【００１５】
図４及び図７に示すように、パネル１２は係止金具１４を窓枠状の開口部１１の裏側に斜めに挿入して、腕部１６と本体１０の開口部周縁１０ａとその接続部１７の下部を開口部１１周縁の裏面に当接させ、またパネルの下端２２を開口部１１周縁の表面に当接させることにより、傾斜姿勢で保持させることができる。この状態においてはパネル１２の上部が手前側に倒れる方向の回転モーメントが生ずるが、係止金具１４の接続部１７の下端が開口部１１周縁の裏面に当接するとともに、パネルの下端２２が本体１０の表面に接触しているため、安定に保持される。このため手を離してもパネル１２が落下するおそれがない。
【００１６】
上記したように接続部１７をその下方がパネル１２に近接する方向に傾斜させておけば、この安定性が向上することとなる。また接続部１７の下端に案内部１８が形成されているため、図７に示すように係止金具１４を斜め方向から挿入させることは容易である。なお案内部１８は長いほど挿入が容易となる。
【００１７】
図３、図５に示すように、この実施形態では、係止金具１４のパネル取付部１５の下端中央に孔部１９を形成し、その内部に垂下片２０を突設してある。一方、本体１０の開口部端縁１０aには図２に示されるような切欠き２１を形成し、係止金具１４が切欠部２１に嵌るようになり、係止金具１４の垂下片２０がこの切欠き２１の端縁に当接するようにしておくことが好ましい。これによりパネル１２の左右方向の位置決めができる。また係止金具１４の垂下片２０の下端を本体１０の開口部端縁１０a、もしくは切欠き２１の端縁に当てることができるので、パネル１２と係止金具１４との間に溶接不良部があっても、本体１０の開口部端縁１０a、もしくは切欠き２１の端縁がパネル１２と係止金具１４との間に潜り込んでしまうことがない。このような構造にすることによって、係止金具１４の変形や溶接の剥がれなどの問題もなくなるものである。
【００１８】
このような係止金具１４が取付けられたパネル１２を、本体１０の窓枠状の開口部１１に取付けるには、先ず図２に示すようにパネル１２の上部を手前側に傾け、案内部１８を利用して係止金具１４を開口部１１周縁の裏面に挿入する。そして図４のようにパネル１２を垂直に近づけて係止金具１４の接続部１７の下端を開口部１１周縁の裏面に当接させれば、手を離してもパネル１２はその姿勢のままで開口部１１に保持される。その後、図６に示すようにパネル１２を開口部１１周縁の表面に密着させ、ねじ止めを行えばよい。以上の手順を、図７に断面図で表示した。
【００１９】
以上に説明したように、本発明によればパネル１１の取付作業を容易かつ安全に行うことができる。また係止金具１４は開口部１１に斜め前方から挿入されるので、図８に示すようにパネル１１の上端が天井などに密着して落としこみができないような場合にも、支障なくパネルを取付けることができる利点がある。
【符号の説明】
【００２０】
１  パネル
２  Ｌ字状の係止金具
２ａ  垂下部
３  開口部
４  端縁
１０  本体
１０a  開口部端縁
１１  開口部
１２  パネル
１３  電気機器収納用箱
１４  係止金具
１５  パネル取付部
１６  腕部
１７  接続部
１８  案内部
１９  孔部
２０  垂下片
２１  切欠き
２２  パネルの下端
２３  突起
【図１】
0005465065.tif 000002
【図２】
0005465065.tif 000003
【図３】
0005465065.tif 000004
【図４】
0005465065.tif 000005
【図５】
0005465065.tif 000006
【図６】
0005465065.tif 000007
【図７】
0005465065.tif 000008
【図８】
0005465065.tif 000009
【図９】
0005465065.tif 000010
【図１０】
0005465065.tif 000011